(57)【要約】【課題】使い勝手の更なる向上を可能としたキャップユニットを提供する。【解決手段】キャップ本体７に回動自在に取り付けられた回動部材１７と、キャップ本体７にスライド自在に取り付けられたスライド部材１９と、回動部材１７の一端側に回動部材１７の他端側に向けてスライド自在に取り付けられたロック部材２０と、ロック部材２０を回動部材１７の上端側に向けて付勢する付勢部材２１とを有し、付勢部材２１の付勢に抗してロック部材２０を回動部材１７の他端側に向けてスライド操作した後に、回動部材１７の一端側を一の方向に回動操作することによって、回動部材１７の回動に連動して、スライド部材１９がスライド方向の一方側に向けてスライドされると共に、スライド部材１９のスライドに連動して、蓋体９が通液口１２を開放する方向に回動される。【選択図】図３
2018158734.tif 000002
【特許請求の範囲】
【請求項１】
上部が開口した容器本体の口頸部に着脱自在に取り付けられるキャップユニットであって、
前記容器本体の上部開口部を閉塞すると共に、通液口が設けられたキャップ本体と、
前記キャップ本体に回動自在に取り付けられた状態で、前記通液口を開閉する蓋体と、
前記蓋体を手動で開閉操作するための蓋開閉機構とを備え、
前記蓋開閉機構は、前記キャップ本体に回動自在に取り付けられた回動部材と、
前記キャップ本体にスライド自在に取り付けられたスライド部材とを有し、
前記回動部材の一端側を押圧しながら前記回動部材を一の方向に回動操作することによって、前記回動部材の回動に連動して、前記スライド部材がスライド方向の一方側に向けてスライドされると共に、前記スライド部材のスライドに連動して、前記蓋体が前記通液口を開放する方向に回動される一方、
前記回動部材の他端側を押圧しながら前記回動部材を他の方向に回動操作することによって、前記回動部材の回動に連動して、前記スライド部材がスライド方向の他方側に向けてスライドされると共に、前記スライド部材のスライドに連動して、前記蓋体が前記通液口を閉塞する方向に回動されることを特徴とするキャップユニット。
【請求項２】
前記蓋開閉機構は、前記回動部材の一端側と前記スライド部材の一端側とのうち、何れか一方に設けられた係合部と、何れか他方に設けられた被係合部とが互いに係合されることによって、前記回動部材の一端側と前記スライド部材の一端側とが連結されると共に、
前記スライド部材の他端側に設けられたラック部の傾斜面に、前記蓋体の基端側に設けられたスライド部が摺接自在とされた構造を有し、
前記スライド部材の前記一方側へのスライドに連動して、前記スライド部が前記ラック部の傾斜面を上る方向に相対的に移動することによって、前記蓋体が前記通液口を開放する方向に回動される一方、
前記スライド部材の前記他方側へのスライドに連動して、前記スライド部が前記ラック部の傾斜面を下る方向に相対的に移動することによって、前記蓋体が前記通液口を閉塞する方向に回動されることを特徴とする請求項１に記載のキャップユニット。
【請求項３】
前記蓋体が前記通液口を閉塞する位置にて前記蓋体を固定する蓋ロック機構を備え、
前記蓋ロック機構は、前記回動部材の一端側に前記回動部材の他端側に向けてスライド自在に取り付けられたロック部材と、
前記ロック部材をスライド方向の一端側に向けて付勢する付勢部材とを有し、
前記ロック部材がスライド方向の一端側に位置するとき、前記キャップ本体に設けられたストッパー部に前記ロック部材が当接されることによって、前記回動部材の一端側を押圧する方向への回動が阻止され、
前記付勢部材の付勢に抗して前記ロック部材をスライド方向の他端側に向けてスライド操作することによって、前記ロック部材と前記ストッパー部との当接状態が解除され、前記回動部材が前記一の方向に回動可能となることを特徴とする請求項１又は２に記載のキャップユニット。
【請求項４】
前記スライド部材のスライドに連動して、前記通液口の上部を覆う位置と、前記通液口の上部を開放する位置との間で、前記スライド部材と一体にスライドされるカバー部材を備える請求項１〜３の何れか一項に記載のキャップユニット。
【請求項５】
前記通液口は、前記キャップ本体の上部から前記回動部材の一端側に向けて突出された鍔部を有し、
前記ロック部材は、前記ストッパー部となる前記鍔部の先端側に当接されることを特徴とする請求項１〜４の何れか一項に記載のキャップユニット。
【請求項６】
請求項１〜５の何れか一項に記載のキャップユニットと、
前記キャップユニットが取り付けられた容器本体とを備えるキャップ付き容器。
【請求項７】
前記容器本体は、真空断熱構造を有することを特徴とする請求項６に記載のキャップ付き容器。
【発明の詳細な説明】
【技術分野】
【０００１】
本発明は、キャップユニット及びキャップ付き容器に関する。
【背景技術】
【０００２】
従来より、上部が開口した容器本体の口頸部に着脱自在に取り付けられるキャップユニットがある（例えば、特許文献１を参照。）。キャップユニットの上部には、飲み口又は注ぎ口となる通液口を開閉する蓋体がヒンジ部を介して回動自在に取り付けられている。また、蓋体は、ヒンジ部に設けられた付勢部材によって開方向に付勢されている。一方、キャップユニットには、蓋体が通液口を閉塞する位置にて蓋体を固定する蓋ロック機構が設けられている。
【０００３】
このようなキャップユニットを備えた飲料用容器などのキャップ付き容器では、蓋ロック機構による蓋体の固定を解除することによって、蓋体が付勢部材の付勢により回動しながら、通液口が開放された状態となる。これにより、容器本体内の飲料を飲むことが可能である。
【先行技術文献】
【特許文献】
【０００４】
【特許文献１】特開２００２−１０２０７８号公報
【発明の概要】
【発明が解決しようとする課題】
【０００５】
ところで、上述したキャップユニットを備えたキャップ付き容器では、付勢部材の付勢により蓋体が開方向に勢い良く回動した場合、この蓋体に付着した残液が周囲に飛散することがあった。一方、付勢部材の付勢により開方向に回動される蓋体の速度を調整することは困難である。したがって、蓋体をゆっくりと開けたり、蓋体を途中まで開けたりする操作を容器本体を持ちながら、片手で行うことは不可能である。
【０００６】
さらに、付勢部材の付勢に抗して蓋体を閉方向に回動させながら、蓋ロック機構により蓋体をキャップ本体に固定する操作についても、容器本体を持ちながら、片手で行うことは困難である。
【０００７】
本発明は、このような従来の事情に鑑みて提案されたものであり、蓋体を開閉する際の操作性を向上させることによって、使い勝手の更なる向上を可能としたキャップユニット、並びにそのようなキャップユニットを備えたキャップ付き容器を提供することを目的とする。
【課題を解決するための手段】
【０００８】
上記目的を達成するために、本発明は以下の手段を提供する。
〔１〕  上部が開口した容器本体の口頸部に着脱自在に取り付けられるキャップユニットであって、
前記容器本体の上部開口部を閉塞すると共に、通液口が設けられたキャップ本体と、
前記キャップ本体に回動自在に取り付けられた状態で、前記通液口を開閉する蓋体と、
前記蓋体を手動で開閉操作するための蓋開閉機構とを備え、
前記蓋開閉機構は、前記キャップ本体に回動自在に取り付けられた回動部材と、
前記キャップ本体にスライド自在に取り付けられたスライド部材とを有し、
前記回動部材の一端側を押圧しながら前記回動部材を一の方向に回動操作することによって、前記回動部材の回動に連動して、前記スライド部材がスライド方向の一方側に向けてスライドされると共に、前記スライド部材のスライドに連動して、前記蓋体が前記通液口を開放する方向に回動される一方、
前記回動部材の他端側を押圧しながら前記回動部材を他の方向に回動操作することによって、前記回動部材の回動に連動して、前記スライド部材がスライド方向の他方側に向けてスライドされると共に、前記スライド部材のスライドに連動して、前記蓋体が前記通液口を閉塞する方向に回動されることを特徴とするキャップユニット。
〔２〕  前記蓋開閉機構は、前記回動部材の一端側と前記スライド部材の一端側とのうち、何れか一方に設けられた係合部と、何れか他方に設けられた被係合部とが互いに係合されることによって、前記回動部材の一端側と前記スライド部材の一端側とが連結されると共に、
前記スライド部材の他端側に設けられたラック部の傾斜面に、前記蓋体の基端側に設けられたスライド部が摺接自在とされた構造を有し、
前記スライド部材の前記一方側へのスライドに連動して、前記スライド部が前記ラック部の傾斜面を上る方向に相対的に移動することによって、前記蓋体が前記通液口を開放する方向に回動される一方、
前記スライド部材の前記他方側へのスライドに連動して、前記スライド部が前記ラック部の傾斜面を下る方向に相対的に移動することによって、前記蓋体が前記通液口を閉塞する方向に回動されることを特徴とする前記〔１〕に記載のキャップユニット。
〔３〕  前記蓋体が前記通液口を閉塞する位置にて前記蓋体を固定する蓋ロック機構を備え、
前記蓋ロック機構は、前記回動部材の一端側に前記回動部材の他端側に向けてスライド自在に取り付けられたロック部材と、
前記ロック部材をスライド方向の一端側に向けて付勢する付勢部材とを有し、
前記ロック部材がスライド方向の一端側に位置するとき、前記キャップ本体に設けられたストッパー部に前記ロック部材が当接されることによって、前記回動部材の一端側を押圧する方向への回動が阻止され、
前記付勢部材の付勢に抗して前記ロック部材をスライド方向の他端側に向けてスライド操作することによって、前記ロック部材と前記ストッパー部との当接状態が解除され、前記回動部材が前記一の方向に回動可能となることを特徴とする前記〔１〕又は〔２〕に記載のキャップユニット。
〔４〕  前記スライド部材のスライドに連動して、前記通液口の上部を覆う位置と、前記通液口の上部を開放する位置との間で、前記スライド部材と一体にスライドされるカバー部材を備える前記〔１〕〜〔３〕の何れか一項に記載のキャップユニット。
〔５〕  前記通液口は、前記キャップ本体の上部から前記回動部材の一端側に向けて突出された鍔部を有し、
前記ロック部材は、前記ストッパー部となる前記鍔部の先端側に当接されることを特徴とする前記〔１〕〜〔４〕の何れか一項に記載のキャップユニット。
〔６〕  前記〔１〕〜〔５〕の何れか一項に記載のキャップユニットと、
前記キャップユニットが取り付けられた容器本体とを備えるキャップ付き容器。
〔７〕  前記容器本体は、真空断熱構造を有することを特徴とする前記〔６〕に記載のキャップ付き容器。
【発明の効果】
【０００９】
以上のように、本発明によれば、蓋体を開閉する際の操作性を向上させることによって、使い勝手の更なる向上を可能としたキャップユニット、並びにそのようなキャップユニットを備えたキャップ付き容器を提供することが可能である。
【図面の簡単な説明】
【００１０】
【図１】本発明の一実施形態に係るキャップ付き容器が備えるキャップユニットの閉塞状態を示す斜視図である。
【図２】図１に示すキャップ付き容器が備えるキャップユニットの閉塞状態を示す側面図である。
【図３】図１に示すキャップ付き容器が備えるキャップユニットの閉塞状態を示す断面図である。
【図４】図１に示すキャップ付き容器が備えるキャップユニットの閉塞状態を示す正面図である。
【図５】図１に示すキャップ付き容器が備えるキャップユニットの閉塞状態を示す上面図である。
【図６】図１に示すキャップ付き容器が備えるキャップユニットの開放状態を示す斜視図である。
【図７】図１に示すキャップ付き容器が備えるキャップユニットの開放状態を示す側面図である。
【図８】図１に示すキャップ付き容器が備えるキャップユニットの開放状態を示す断面図である。
【図９】図１に示すキャップ付き容器が備えるキャップユニットの開放状態を示す正面図である。
【図１０】図１に示すキャップ付き容器が備えるキャップユニットの開放状態を示す上面図である。
【発明を実施するための形態】
【００１１】
以下、本発明の実施形態について、図面を参照して詳細に説明する。
本発明の一の実施形態として、例えば図１〜図１０に示すキャップユニット１を備えたキャップ付き容器１００について説明する。
【００１２】
なお、図１は、キャップ付き容器１００が備えるキャップユニット１の閉塞状態を示す斜視図である。図２は、同閉塞状態を示す側面図である。図３は、同閉塞状態を示す断面図である。図４は、同閉塞状態を示す正面図である。図５は、同閉塞状態を示す上面図である。図６は、同開放状態を示す斜視図である。図７は、同開放状態を示す側面図である。図８は、同開放状態を示す断面図である。図９は、同開放状態を示す正面図である。図１０は、同開放状態を示す上面図である。
【００１３】
本実施形態のキャップ付き容器１００は、図１〜図１０に示すように、本実施形態のキャップユニット１と、このキャップユニット１が着脱自在に取り付けられる容器本体２とを備えている。キャップ付き容器１００は、真空断熱構造を有する容器本体２によって、この容器本体２に収容された飲料（内容物）を保温又は保冷することが可能な飲料用容器である。
【００１４】
具体的に、この容器本体２は、例えばステンレス等からなる有底筒状の外容器３及び内容器４を有し、外容器３の内側に内容器４を収容した状態で互いの口元部を接合した二重構造の容器により構成されている。また、外容器３と内容器４との間には、真空断熱層５が設けられている。真空断熱層５は、例えば、高真空に減圧（真空引き）されたチャンバー内で、外容器３の底面中央部に設けられた脱気孔を塞ぐことによって形成することができる。
【００１５】
容器本体２は、略円形状の底面部２ａと、底面部２ａの外周から略円筒状に起立した胴部２ｂと、胴部２ｂの上部側において縮径された略円筒状の口頸部２ｃとを有している。また、口頸部２ｃの上端部は、容器本体２の上部開口部２ｄとして、円形状に開口している。また、口頸部２ｃの内周面は、胴部２ｂの内周面よりも縮径されている。さらに、口頸部２ｃの内周面には、リング状の張出部６が全周に亘って突出して設けられている。
【００１６】
なお、本実施形態のキャップ付き容器１００は、全体として略円筒状の外観形状を有しているが、キャップ付き容器１００の外観形状については、特に限定されるものではなく、サイズやデザイン等に合わせて、適宜変更を加えることが可能である。また、容器本体２の外周面には、塗装や印刷等が施されていてもよい。
【００１７】
本実施形態のキャップユニット１は、容器本体２の上部開口部２ｄを閉塞する栓体を構成するものである。具体的に、このキャップユニット１は、キャップ本体７と、キャップ本体７に第１のヒンジ部８を介して回動自在に取り付けられた蓋体９とを備えている。
【００１８】
なお、以下の説明では、後述するキャップ本体７に第１のヒンジ部８を介して蓋体９が取り付けられる側をキャップ付き容器１００の「後側（背面側）」とし、それとは反対側をキャップ付き容器１００の「前側（正面側）」として説明する。
【００１９】
キャップ本体７は、例えばポリプロピレン等の耐熱性樹脂からなる。キャップ本体７は、容器本体２の胴部２ｂと連続するように略円筒状に形成された周壁部７ａと、周壁部７ａの上部を閉塞する略円板状の上壁部７ｂとを有している。
【００２０】
キャップ本体７は、容器本体２の口頸部２ｃに螺合により着脱自在に取り付けられている。このため、周壁部７ａの内周面には、雌ネジ部１０が設けられている。一方、口頸部２ｃの外周面には、雌ネジ部１０と螺合される雄ネジ部１１が設けられている。
【００２１】
キャップ本体７の上部には、飲み口又は注ぎ口となる通液口１２が設けられている。通液口１２は、キャップ本体７の上部における中央付近を貫通する断面円形状の孔部１２ａを有している。また、通液口１２は、この孔部１２ａから上方に向けて漸次拡径されたテーパー状の広口部１２ｂを有している。さらに、通液口１２は、この広口部１２ｂの一端（前端）側から上壁部７ｂよりも上方に突出された鍔部１２ｃを有している。キャップユニット１では、このような形状の通液口１２を設けることによって、容器本体２から通液口１２を通して流出される飲料（内容物）を飲み易く又は注ぎ易くすることができる。
【００２２】
キャップ本体７の内側の下端部には、止水パッキン１３が着脱自在に取り付けられている。止水パッキン１３は、リング状のシール部材であり、例えばシリコーンゴム等の耐熱性を有するゴムやエラストマーなどの弾性部材からなる。一方、キャップ本体７の内側の下端部には、フランジ部７ｃが拡径方向に突出して設けられている。止水パッキン１３は、このフランジ部７ｃに全周に亘って嵌め付けられている。
【００２３】
また、止水パッキン１３の外周面には、上下方向に並ぶ複数（本実施形態では２つ）の弾性フランジ部１３ａが拡径方向に突出して設けられている。止水パッキン１３は、容器本体２の口頸部２ｃにキャップ本体７が取り付けられた際に、弾性フランジ部１３ａが弾性変形しながら、容器本体２の張出部６に全周に亘って密着した状態となる。これにより、張出部６（容器本体２）とキャップ本体７との間を密閉することが可能となっている。
【００２４】
また、止水パッキン１３は、下側の弾性フランジ部１３ａが張出部６の頂上側に接触し、上側の弾性フランジ部１３ａが張出部６の入側に接触することが好ましい。これにより、張出部６（容器本体２）とキャップ本体７との間の密閉性を向上させることができる。
【００２５】
一方、止水パッキン１３は、それ自体を弾性変形させる（引っ張り伸ばす）ことによって、フランジ部７ｃから取り外すことが可能である。これにより、止水パッキン１３とキャップ本体７とをそれぞれ別々に洗浄することができ、止水パッキン１３とフランジ部７ｃとの間を衛生的に保つことができる。
【００２６】
なお、止水パッキン１３については、上述した形状のものに必ずしも限定されるものではなく、例えば、弾性フランジ部１３ａの数については、上述した２つに限らず、１つ又は３つ以上とすることも可能である。また、止水パッキン１３は、上述した弾性フランジ部１３ａが設けられた構成に必ずしも限定されるものではなく、その形状等について適宜変更を加えることが可能である。
【００２７】
第１のヒンジ部８は、キャップ本体７の後側の上面に設けられている。第１のヒンジ部８は、キャップ本体７の前後方向に沿って配置された蓋体９の基端（後端）側を回動自在に支持している。
【００２８】
蓋体９は、通液口１２を開閉するものであり、例えばポリプロピレン（ＰＰ）等の耐熱性樹脂からなる。蓋体９は、通液口１２の上部を覆う蓋部９ａと、通液口１２の内側を閉塞する栓部９ｂとを有している。蓋部９ａは、略平板に形成されている。栓部９ｂは、蓋部９ａの先端側から下方に突出して設けられている。
【００２９】
栓部９ｂの先端（下端）には、蓋パッキン１４が着脱自在に取り付けられている。蓋パッキン１４は、有底筒状のシール部材であり、上記止水パッキン１３と同様に、例えばシリコーンゴム等の耐熱性を有するゴムやエラストマーなどの弾性部材からなる。蓋パッキン１４の内周面には、リング状の突部１４ａが全周に亘って設けられている。また、蓋パッキン１４の下面は、ドーム状に形成されている。一方、栓部９ｂの外周面には、リング状の溝部９ｃが全周に亘って設けられている。
【００３０】
蓋パッキン１４は、その内側に栓部９ｂを嵌め込むことによって、溝部９ｃに突部１４ａが係合された状態となる。これにより、栓部９ｂの先端（下端）に蓋パッキン１４を取り付けることが可能となっている。
【００３１】
蓋パッキン１４は、蓋体９がキャップ本体７の通液口１２を閉塞したときに、弾性変形しながら、通液口１２の孔部１２ａの周囲に密着した状態となる。これにより、通液口１２と栓部９ｂとの間を密閉（閉栓）することが可能となっている。
【００３２】
一方、蓋パッキン１４は、栓部９ｂ（蓋体９）から取り外すことも可能である。これにより、蓋パッキン１４と栓部９ｂ（蓋体９）とをそれぞれ別々に洗浄することができ、蓋パッキン１４と栓部９ｂ（蓋体９）との間を衛生的に保つことができる。
【００３３】
キャップユニット１は、蓋体９を手動で開閉操作するための蓋開閉機構１５を備えている。蓋開閉機構１５は、キャップ本体７に第２のヒンジ部１６を介して回動自在に取り付けられた回動部材１７と、キャップ本体７にガイド部１８を介してスライド自在に取り付けられたスライド部材１９とを有している。また、蓋体９が通液口１２を閉塞する位置にて蓋体９を固定する蓋ロック機構として、回動部材１７の上端（一端）側に回動部材１７の下端（他端）側に向けてスライド自在に取り付けられたロック部材２０と、ロック部材２０を回動部材１７の上端側に向けて付勢する付勢部材２１とを有している。
【００３４】
第２のヒンジ部１６は、キャップ本体７の前側の側面に設けられている。第２のヒンジ部１６は、キャップ本体７の上下方向に沿って配置された回動部材１７の中間部を回動自在に支持している。
【００３５】
回動部材１７は、例えばポリプロピレン（ＰＰ）等の耐熱性樹脂からなり、略矩形平板状に形成されている。回動部材１７は、キャップ本体７の前側の側面に対向した状態で、その上端（一端）側と下端（他端）側との間が第２のヒンジ部１６を介して回動自在に支持されている。
【００３６】
ガイド部１８は、キャップ本体７の上面（上壁部７ｂ）に設けられている。ガイド部１８は、通液口１２を挟んだ両側に位置して、スライド部材１９の両側端を保持しながら、キャップ本体７の前後方向にスライド部材１９をスライド自在に支持している。
【００３７】
スライド部材１９は、例えばポリプロピレン（ＰＰ）等の耐熱性樹脂からなり、そのスライド方向に沿った両側端を形成する一対のラック部１９ａを有している。スライド部材１９は、通液口１２を挟んで平行に配置された一対のラック部１９ａがガイド部１８に保持されることによって、キャップ本体７の前後方向にスライド可能となっている。また、スライド部材１９は、一対のラック部１９ａの後端側において連結された構成となっている。
【００３８】
一対のラック部１９ａには、ガイド部１８よりも後端（他端）側において、前端側から後端側に向かって下り勾配となる傾斜面１９ｂが設けられている。一方、蓋体９の基端側には、この傾斜面１９ｂと摺接自在とされたスライド部２２が設けられている。スライド部２２は、蓋体９の基端側の両側端から外側に突出された一対のスライドピン２２ａからなる。
【００３９】
また、蓋開閉機構１５は、スライド部材１９と一体に形成又は取り付けられたカバー部材２３を有している。カバー部材２３は、キャップ本体７の上部を覆うキャップ形状を有している。カバー部材２３は、鍔部１２ｃ（通液口１２）の上部を覆う位置と、鍔部１２ｃ（通液口１２）の上部を開放する位置との間で、キャップ本体７の前後方向にスライド部材１９と一体にスライドされる。
【００４０】
蓋開閉機構１５では、回動部材１７の上端（一端）側とスライド部材１９の前端（一端）側とのうち、何れか一方（本実施形態では回動部材１７の上端側）に設けられた係合部２４と、何れか他方（本実施形態ではスライド部材１９の前端側）に設けられた被係合部２５とが互いに係合されることによって、回動部材１７の上端側とスライド部材１９の前端側とが連結されている。
【００４１】
係合部２４は、回動部材１７の上部の両側端から外側に突出された一対のガイドピン２４ａからなる。一方、被係合部２５は、カバー部材２３の互いに対向する側面（内側面）において、一対のガイドピン２４ａが係合される一対のガイド溝２５ａからなる。一対のガイド溝２５ａは、カバー部材２３の上下方向に沿って切り欠き形成されている。
【００４２】
なお、本実施形態では、上述した回動部材１７の上端（一端）側に係合部２４（ガイドピン２４ａ）を設け、スライド部材１９の前端（一端）側に被係合部２５（ガイド溝２５ａ）を設けた構成となっているが、それとは逆の構成、すなわち、回動部材１７の上端（一端）側に被係合部２５（ガイド溝２５ａ）を設け、スライド部材１９の前端（一端）側に係合部２４（ガイドピン２４ａ）を設けた構成とすることも可能である。また、係合部２４と被係合部２５とは、上述したガイドピン２４ａがガイド溝２５ａに係合される構成に限らず、互いの係合構造を適宜変更することが可能である。
【００４３】
ロック部材２０は、例えばポリプロピレン（ＰＰ）等の耐熱性樹脂からなり、略矩形平板状に形成されている。ロック部材２０は、回動部材１７の上端（一端）側の前面と重なるように配置されると共に、回動部材１７に対して上下方向にスライド自在に取り付けられている。また、ロック部材２０は、蓋体９が通液口１２を閉塞する位置にて、ストッパー部となる鍔部１２ｃの先端側と当接される突起部２０ａを有している。
【００４４】
付勢部材２１は、ロック部材２０と回動部材１７との間に圧縮された状態で配置されたコイルバネからなり、このコイルバネによってロック部材２０を回動部材１７に対してスライド方向の上方（一方）側に向けて付勢している。
【００４５】
蓋開閉機構１５では、蓋体９及びカバー部材２３が通液口１２を閉塞するとき、ロック部材２０が付勢部材２１の付勢により回動部材１７の上端（スライド方向の一端）側に位置している。この状態で、ロック部材２０と共に回動部材１７の上端側を後側に押圧しても、ロック部材２０の突起部２０ａが鍔部１２ｃの先端側（ストッパー部）に当接されるため、この回動部材１７の回動が阻止（ロック）される。これにより、蓋体９が通液口１２を閉塞する位置にて蓋体９を固定し、回動部材１７の不用意な操作によって蓋体９及びカバー部材２３が開くことを防止できる。
【００４６】
一方、蓋開閉機構１５では、付勢部材２１の付勢に抗してロック部材２０を回動部材１７の下端（スライド方向の他端）側に向けてスライド操作することによって、上述したロック部材２０の突起部２０ａと鍔部１２ｃの先端側（ストッパー部）との当接状態（ロック状態）が解除される。
【００４７】
この状態から、ロック部材２０と共に回動部材１７の上端（一端）側を後側に押圧しながら回動部材１７をキャップ本体７の上壁部７ｂに接近する方向（一の方向）に回動操作することによって、回動部材１７の回動に連動して、スライド部材１９がスライド方向の後方（一方）側に向けてスライドされると共に、スライド部材１９のスライドに連動して、スライドピン２２ａ（スライド部２２）がラック部１９ａの傾斜面１９ｂと摺接しながら、この傾斜面１９ｂを上る方向に相対的に移動する。これにより、蓋体９が通液口１２を開放する方向（以下、開方向という。）に回動される。同時に、カバー部材２３が鍔部１２ｃ（通液口１２）の上部を開放する方向にスライドされる。
【００４８】
また、蓋開閉機構１５では、回動部材１７の上端（一端）側が一の方向に回動された状態において、この回動部材１７の下端（スライド方向の他端）側に位置するロック部材２０（突起部２０ａ）が鍔部１２ｃの基端側に当接された状態となる。これにより、付勢部材２１に付勢されたロック部材２０の回動部材１７の上端（スライド方向の一端）側に向かう方向へのスライドが阻止（ロック）される。
【００４９】
一方、蓋開閉機構１５では、回動部材１７の下端（他端）側を押圧しながら回動部材１７をキャップ本体７の周壁部７ａに接近する方向（他の方向）に回動操作することによって、回動部材１７の回動に連動して、スライド部材１９がスライド方向の前方（他方）側に向けてスライドされると共に、スライド部材１９のスライドに連動して、スライドピン２２ａ（スライド部２２）がラック部１９ａの傾斜面１９ｂと摺接しながら、この傾斜面１９ｂを下る方向に相対的に移動する。これにより、蓋体９が通液口１２を閉塞する方向（以下、閉方向という。）に回動される。同時に、カバー部材２３が鍔部１２ｃ（通液口１２）の上部を閉塞する方向にスライドされる。
【００５０】
また、蓋開閉機構１５では、ロック部材２０が付勢部材２１の付勢により回動部材１７の上端（スライド方向の一端）側に向かってスライドされる。これにより、再び回動部材１７の回動が阻止（ロック）された状態となる。
【００５１】
以上のように、本実施形態のキャップユニット１では、上述した蓋開閉機構１５の操作によって、蓋体９を手動で開閉することができる。また、このキャップユニット１を備えるキャップ付き容器１００では、蓋体９をゆっくりと開けたり、蓋体９を途中まで開けたりする操作を容器本体２を持ちながら、片手で行うことが可能である。
【００５２】
以上のようにして、本実施形態のキャップユニット１では、蓋体９を開閉する際の操作性を向上させることが可能である。したがって、このようなキャップユニット１を備えるキャップ付き容器１００では、使い勝手の更なる向上を図ることが可能である。
【００５３】
なお、本実施形態では、上述したように、回動部材１７の上端（一端）側が一の方向に回動された状態において、この回動部材１７の下端（スライド方向の他端）側に位置するロック部材２０（突起部２０ａ）が鍔部１２ｃの基端側に当接されることによって、付勢部材２１に付勢されたロック部材２０の回動部材１７の上端（スライド方向の一端）側に向かう方向へのスライドが阻止（ロック）される構成となっているが、このような構成に必ずしも限定されるものではない。
【００５４】
すなわち、回動部材１７の上端（一端）側が一の方向に回動された状態から、回動部材１７の上端（一端）側に対する押圧を解除することによって、付勢部材２１の付勢によりロック部材２０が回動部材１７の上端（スライド方向の一端）側に向かってスライドされると共に、ロック部材２０の突起部２０ａが鍔部１２ｃと摺接しながら、鍔部１２ｃの基端側から先端側へと移動することによって、回動部材１７の下端（他端）側を押圧することなく、回動部材１７が他の方向に回動され、蓋体９が閉方向に回動される構成としてもよい。
【００５５】
また、本実施形態では、蓋体９が通液口１２を閉塞する方向に付勢する付勢部材を設けた構成としてもよい。例えば、スライド部材１９をスライド方向の前方（他方）側に向けて付勢する付勢部材を設けた構成や、蓋体９を閉方向に付勢する付勢部材、回動部材１７を他の方向に付勢する付勢部材を設けた構成とすることが可能である。
【００５６】
この場合も、ロック部材２０によるロック状態を解除した後に、回動部材１７の上端（一端）側を押圧する操作と、回動部材１７の上端（一端）側に対する押圧を解除する操作とによって、蓋体９を手動で開閉操作することが可能である。
【００５７】
なお、本発明は、上記実施形態のものに必ずしも限定されるものではなく、本発明の趣旨を逸脱しない範囲において種々の変更を加えることが可能である。
すなわち、上記実施形態では、上述した真空断熱構造を有する容器本体２によって保温・保冷機能を持たせたキャップ付き容器１００に本発明を適用した場合を例示しているが、このような真空断熱構造を有する容器本体２を備えたものに必ずしも限定されるものではない。すなわち、本発明は、キャップユニットが容器本体の口頸部に着脱自在に取り付けられるキャップ付き容器に対して幅広く適用することが可能である。
【符号の説明】
【００５８】
１００…キャップ付き容器  １…キャップユニット  ２…容器本体  ２ｃ…口頸部  ２ｄ…上部開口部  ３…外容器  ４…内容器  ５…真空断熱層  ６…張出部  ７…キャップ本体  ８…第１のヒンジ部  ９…蓋体  １０…雌ネジ部  １１…雄ネジ部  １２…通液口  １２ｃ…鍔部（ストッパー部）  １３…止水パッキン  １４…蓋パッキン  １５…蓋開閉機構  １６…第２のヒンジ部  １７…回動部材  １８…ガイド部  １９…スライド部材  ２０…ロック部材  ２１…付勢部材  ２２…スライド部  ２３…カバー部材  ２４…係合部  ２５…被係合部
【図１】
2018158734.tif 000003
【図２】
2018158734.tif 000004
【図３】
2018158734.tif 000005
【図４】
2018158734.tif 000006
【図５】
2018158734.tif 000007
【図６】
2018158734.tif 000008
【図７】
2018158734.tif 000009
【図８】
2018158734.tif 000010
【図９】
2018158734.tif 000011
【図１０】
2018158734.tif 000012